(57)【要約】【課題】構成が簡単で小型（小形）化が可能で、エネルギーを無駄なく利用して薬液（液体）を保温することのできる医療用器具保温器を提供する。【解決手段】被保温体を特定の温度にする熱を発する恒温体１１と、この恒温体１１を収容し、被保温体を包囲する被覆体１５と、この被覆体１５の被保温体と対向する部分を覆う熱良導体２１と、被覆体１５の被保温体と対向する部分以外を覆う断熱材２５とを備える。【選択図】図４
2013180030.tif 000002
【特許請求の範囲】
【請求項１】
被保温体を特定の温度にする熱を発する恒温体と、
この恒温体を収容し、前記被保温体を包囲する被覆体とを備える、
ことを特徴とする医療用器具保温器。
【請求項２】
請求項１に記載の医療用器具保温器において、
前記被覆体は、可撓性を有する、
ことを特徴とする医療用器具保温器。
【請求項３】
請求項１または請求項２に記載の医療用器具保温器において、
前記被覆体の前記被保温体と対向する部分を熱良導体で覆い、
前記被覆体の前記被保温体と対向する部分以外を断熱材で覆った、
ことを特徴とする医療用器具保温器。
【発明の詳細な説明】
【技術分野】
【０００１】
この発明は、例えば、シリンジ（注射器）内の薬液（液体）を、適宜の温度に保温（加熱、冷却）するための医療用器具保温器に関するものである。
【背景技術】
【０００２】
シリンジを使用して薬液を注射する場合、薬液を適宜の温度に保つ必要があることがある。例えば、薬液の粘度が高いと、薬液の流動性が低く（悪く）なることにより、薬液を正確な量だけ注射することができなくなる。
【０００３】
そこで、シリンジ内の薬液を、粘度を低下させて流動性をよくするように保温し、薬液を正確な量だけ注射できるようすることが考えられる。
【０００４】
上記の考えに基づいた温度制御装置として、シリンジの内部の温度あるいはシリンジの周囲の温度を温度センサで測定し、その測定結果に基づいてヒータなどの温度調節装置を作動させてシリンジ内の液体材料の温度を、液体材料が所望の粘度になるように維持する構成のものが提案されている（例えば、特許文献１参照）。
【０００５】
また、シリンジの外周部に配置したシリンダケース内に、シリンダケース外に配置した恒温水装置で恒温水を循環させることによってシリンジ内の液体材料の温度を、液体材料が所望の粘度になるように維持する構成のものが提案されている（例えば、特許文献１参照）。
【先行技術文献】
【特許文献】
【０００６】
【特許文献１】特開２００２−５９０５５号公報
【発明の概要】
【発明が解決しようとする課題】
【０００７】
従来例の温度制御装置は、温度調節装置またはシリンダケースの外部に、種々の機器が必要になるため、大型（大形）化する。
【０００８】
また、従来例の後者の場合、恒温水が循環する間に恒温水の温度が変動するため、すなわち、恒温水が循環する間に放熱したり、蓄熱するため、エネルギーが無駄になったり、液体材料を所望の温度に管理できないことが起こり得る。
【０００９】
この発明は、上記した不都合を解消するためになされたもので、構成が簡単で小型（小形）化が可能で、エネルギーを無駄なく利用して薬液（液体）を保温することのできる医療用器具保温器を提供するものである。
【課題を解決するための手段】
【００１０】
（１）この発明の医療用器具保温器は、被保温体を特定の温度にする熱を発する恒温体と、この恒温体を収容し、前記被保温体を包囲する被覆体とを備えることを特徴とする。
【００１１】
（２）この発明の医療用器具保温器は、（１）に記載の医療用器具保温器において、前記被覆体が可撓性を有することを特徴とする。
【００１２】
（３）この発明の医療用器具保温器は、（１）または（２）に記載の医療用器具保温器において、前記被覆体の前記被保温体と対向する部分を熱良導体で覆い、前記被覆体の前記被保温体と対向する部分以外を断熱材で覆ったことを特徴とする。
【発明の効果】
【００１３】
この発明の医療用器具保温器によれば、恒温体を被覆体に収容し、被覆体で被保温体を包囲する構成であるので、構成が簡単になるとともに、小型（小形）化が可能になり、エネルギーを無駄なく利用して薬液（液体）を保温することができる。
また、被覆体が可撓性を有するので、被保温体の形状に合わせて被覆体を変形させ、薬液を保温することができる。
また、被覆体の被保温体と対向する部分を熱良導体で覆い、被覆体の被保温体と対向する部分以外を断熱材で覆ったので、保温体から被保温体以外へ向かう熱を遮断することにより、または、被保温体から保温体以外へ向かう熱を遮断することにより、エネルギーを無駄なく利用して薬液を保温することができる。
【図面の簡単な説明】
【００１４】
【図１】この発明の第１実施例である医療用器具保温器の裏面図（被保温体に接触する面側の図）である。
【図２】この発明の第１実施例である医療用器具保温器の表面図（被保温体に接触しない面側の図）である。
【図３】図１のＡ−Ａ線による拡大断面図である。
【図４】図１のＢ−Ｂ線による拡大断面図である。
【図５】第１実施例の医療用器具保温器の使用状態を示す説明図である。
【図６】この発明の第２実施例である医療用器具保温器の斜視図である。
【図７】図６に示した医療用器具保温器の底面図である。
【図８】図６に示した医療用器具保温器の中心を通る縦断面図である。
【図９】図６のＣ−Ｃ線による断面図である。
【図１０】第２実施例の医療用器具保温器の使用状態を示す説明図である。
【発明を実施するための形態】
【００１５】
以下、この発明の実施例を、図面を参照して説明する。
なお、以下の実施例では、被保温体を加熱して薬液（液体）を保温する例について説明する。
【００１６】
図１はこの発明の第１実施例である医療用器具保温器の裏面図（被保温体に接触する面側の図）、図２はこの発明の第１実施例である医療用器具保温器の表面図（被保温体に接触しない面側の図）、図３は図１のＡ−Ａ線による拡大断面図、図４は図１のＢ−Ｂ線による拡大断面図、図５は第１実施例の医療用器具保温器の使用状態を示す説明図である。
【００１７】
この発明の第１実施例である医療用器具保温器Ｗは、図１〜図４に示すように、被保温体を特定の温度にする熱を発する恒温体（保温体）１１と、この恒温体１１を収容し、被保温体を包囲する平面状の被覆体１５と、この被覆体１５の被保温体と対向する部分（被覆体１５の裏面）を覆う熱良導体２１と、被覆体１５の被保温体と対向する部分以外（被覆体１５の表面）を覆う断熱材２５とを備えている。
【００１８】
そして、医療用器具保温器Ｗは、図５に示すように、熱良導体２１を被保温体としての第２シリンジＳ２を包囲するように巻き付け、固定する取付具としての面ファスナ２９，３１をも備えている。
【００１９】
上記した恒温体１１としては、発熱体としての過冷却状態の酢酸ナトリウムと、この酢酸ナトリウムを結晶化させる衝撃付与体として金属片とで構成されている。
【００２０】
なお、衝撃を与えることによって結晶化を起こして発熱する物質には、例えば、過冷却状態で流動体のものであれば使用可能である。この状態が安定する酢酸ナトリウム、チオ硫酸ナトリウム等を用いてもよい。
【００２１】
また、恒温体１１は、電子レンジで加熱したり、湯煎で加熱することによって蓄熱する蓄熱材が使用され、蓄熱材には、例えば、ポリアクリル酸ナトリウム、ポリビニルアルコール等の吸水性ポリマーなどの蓄熱ジェルを用いてもよい。
【００２２】
上記した被覆体１５は、例えば、可撓性を有するビニルフィルムなどで構成され、図１および図２に点線で示すように、複数の室１７を有し、この各室１７内に恒温体１１が収容されている。
【００２３】
したがって、各室１７に収容されている恒温体１１の熱は、被覆体１５、熱良導体２１を介して放出される。
【００２４】
上記した熱良導体２１は、例えば、アルミ箔または銅箔などで、被覆体１５の裏面に接着などによって取り付けられている。
【００２５】
上記した断熱材２５は、例えば、グラスウール、ロックウールなどの繊維系断熱材、ウレタンフォーム、ポリスチレンフォーム等の発布径断熱材などで、被覆体１５の表面に接着などによって取り付けられている。
【００２６】
なお、取付具は、熱良導体２１を被保温体としての第２シリンジＳ２に接するように巻き付け、固定することができるものであれば、面ファスナ２９，３１以外のもの、例えば、輪ゴムなどであってもよい。
【００２７】
次に、第１実施例の医療用器具保温器Ｗの使い方を、図５を参照して説明する。
【００２８】
図５において、薬液（被保温体）Ｍを注射する第１シリンジＳ１の先端に三方弁Ｖが設けられ、三方弁Ｖの先端にマイクロカテーテルＣが設けられるとともに、三方弁Ｖに、第２シリンジＳ２が着脱自在とされている。
【００２９】
この三方弁Ｖを切り換えることにより、第２シリンジＳ２内の薬液Ｍを第１シリンジＳ１へ供給することができ、また、第１シリンジＳ１内の薬液Ｍを、マイクロカテーテルＣへ供給し、注射することができる。
【００３０】
まず、医療用器具保温器Ｗを使用する場合、恒温体１１が過冷却状態の酢酸ナトリウムと、この酢酸ナトリウムに衝撃を与える金属片とで構成されている場合は、金属片を折り曲げることによって酢酸ナトリウムに衝撃を与えると、酢酸ナトリウムが結晶化を開始し、この結晶化が伝播することによって発熱を持続する。
【００３１】
また、医療用器具恒温体１１が蓄熱ジェルの場合は、電子レンジなどで加熱することによって蓄熱させることにより、発熱を持続する。
【００３２】
上記のようにして恒温体１１が熱を発する状態にした後、熱良導体２１を第２シリンジＳ２の外周に接するように巻き付け、面ファスナ２９を面ファスナ３１に接続することにより、医療用器具保温器Ｗを第２シリンジＳ２に巻き付け、取り付ける。
【００３３】
このように、医療用器具保温器Ｗを第２シリンジＳ２に巻き付け、取り付けると、第２シリンジＳ２に熱が供給されることにより、第２シリンジＳ２内の薬液Ｍを、適宜の温度に維持することができる。それゆえ、例えば、正確な量で注射することのできる粘度に薬液Ｍを維持することができる。
【００３４】
したがって、三方弁Ｖを切り換えて第２シリンジＳ２内の薬剤Ｍを第１シリンジＳ１へ供給した後、また、三方弁Ｖを切り換えて第１シリンジＳ１内の薬液Ｍを、マイクロカテーテルＣへ所望量供給し、正確な量の薬液Ｍを注射することができる。
【００３５】
この発明の第１実施例の医療用器具保温器Ｗによれば、恒温体１１を被覆体１５に収容し、被覆体１５で第２シリンジＳ２（被保温体）を包囲する構成であるので、構成が簡単になるとともに、小型（小形）化が可能になり、エネルギーを無駄なく利用して薬液Ｍを保温することができる。
また、被覆体１５が可撓性を有するので、第２シリンジＳ２（被保温体）の形状に合わせて被覆体１５を変形させ、薬液Ｍ（被保温体）を保温することができる。
また、被覆体１５の第２シリンジＳ２（被保温体）と対向する部分（被覆体１５の裏面）を熱良導体２１で覆い、被覆体１５の第２シリンジＳ２（被保温体）との対向する部分以外の部分（被覆体１５の表面）を断熱材２５で覆ったので、保温体１１から第２シリンジＳ２（被保温体）以外へ向かう熱を遮断することにより、エネルギーを無駄なく利用して薬液Ｍ（被保温体）を保温することができる。
また、被覆体１５に複数の室１７を形成し、この室１７に恒温体１１を収容したので、恒温体１１が片寄る（移動する）のを阻止して、第２シリンジＳ２（被保温体）を均一に保温することができる。
【００３６】
図６はこの発明の第２実施例である医療用器具保温器の斜視図、図７は図６に示した医療用器具保温器の底面図、図８は図６に示した医療用器具保温器の中心を通る縦断面図、図９は図６のＣ−Ｃ線による断面図、図１０は第２実施例の医療用器具保温器の使用状態を示す説明図、図１〜図６に示した部分と同一部分または相当部分に同一符号を付し、その説明を省略する。
【００３７】
この発明の第２実施例の医療用器具保温器Ｗは、図６〜図９に示すように、恒温体１１と、この恒温体１１を収容し、被保温体を包囲するプラスチック板で構成された被覆体４１と、この被覆体４１の被保温体と対向する部分（被覆体４１の内周面）を覆う熱良導体２１と、被覆体４１の被保温体と対向する部分以外（被覆体４１の内周面以外の面）を覆う断熱材２５とを備えている。
【００３８】
上記した被覆体４１は、中央に円形の挿通孔４３ａを有した円形の天板４３と、中央に挿通孔４３ａと同心で、挿通孔４３ａよりも小径の円形の孔４５ａを有し、天板４３の外径と同じ外径の底板４５と、天板４３の外周縁と底板４５の外周縁とを連結する外筒体４７と、天板４３の内周縁と底板４５の内周縁よりも少し内側の周縁とを連結する内筒体４９とで構成され、環状の室５１を備えている。
【００３９】
このように、底板４５の孔４５ａが天板４３の挿通孔４３ａよりも小径であることにより、底板４５の内筒体４９よりも内側の部分を、係止部４５ｂとして機能させることができる。
【００４０】
そして、底板４５の室５１に連通する部分に、弁５５が設けられている。
【００４１】
なお、熱良導体２１は被覆体４１の内周面、すなわち、天板４３の内周面と、内筒体４９の内周面とに取り付けられ、断熱材２５は、被覆体４１の熱良導体２１が取り付けられている外表面以外の部分に取り付けられている。
【００４２】
次に、第２実施例の医療用器具保温器Ｗの使い方を、図１０を参照して説明する。
【００４３】
まず、医療用器具保温器Ｗを使用する場合、恒温体１１が過冷却状態の酢酸ナトリウムと、この酢酸ナトリウムに衝撃を与える金属片とで構成されている場合は、弁５５を介して室５１内に衝撃を与えるものを挿入して酢酸ナトリウムに衝撃を与えると、酢酸ナトリウムが結晶化を開始し、この結晶化が伝播することによって発熱を持続する。
【００４４】
また、恒温体１１が蓄熱ジェルの場合は、電子レンジなどで加熱することによって蓄熱させることにより、発熱を持続する。
【００４５】
上記のようにして恒温体１１が熱を発する状態にした後、第２シリンジＳ２をニードル側から天板４３の挿通孔４３ａ内へ熱良導体２１に接するように挿入し、ニードルを底板４５の孔４５ａから突出させるとともに、第２シリンジＳ２の下端を係止部４５ｂに係止させる。
【００４６】
このように、医療用器具保温器Ｗ内に第２シリンジＳ２を挿通させた状態で、医療用器具保温器Ｗから突出しているニードルを三方弁Ｖに接続すると、第２シリンジＳ２に熱が供給されることにより、第２シリンジＳ２内の薬液Ｍを、適宜の温度に維持することができる。それゆえ、例えば、正確な量で注射することのできる粘度に薬液Ｍを維持することができる。
【００４７】
したがって、三方弁Ｖを切り換えて第２シリンジＳ２内の薬液Ｍを第１シリンジＳ１へ供給した後、また、三方弁Ｖを切り換えて第１シリンジＳ１内の薬液Ｍを、マイクロカテーテルＣへ所望量供給し、正確な量の薬液Ｍを注射することができる。
【００４８】
この発明の第２実施例の医療用器具保温器Ｗにおいても、第１実施例の医療用器具保温器Ｗと同様な効果を得ることができる。
【００４９】
この明細書および特許請求の範囲を通じて『熱を発する』の語は、正の熱を発する（加熱する）ことだけでなく、負の熱を発すること、すなわち、吸熱することを含むものとする。
【００５０】
したがって、恒温体（保温体）として被保温体から熱を奪って被保温体を特定の温度とするもの、例えば、恒温体１１に硝酸アンモニウム水溶液と、尿酸水溶液を含有したカプセルを封入し、そのカプセルを割ることで吸熱反応が起こるようにしたものでも、所期の目的を達成することができる。
【符号の説明】
【００５１】
Ｗ      医療用器具保温器
１１    恒温体（保温体）
１５    被覆体
１７    室
２１    熱良導体
２５    断熱材
２９    面ファスナ（取付具）
３１    面ファスナ（取付具）
４１    被覆体
４３    天板
４３ａ  挿通孔
４５    底板
４５ａ  孔
４５ｂ  係止部
４７    外筒体
４９    内筒体
５１    室
５５    弁
Ｓ１    第１シリンジ
Ｓ２    第２シリンジ（被保温体）
Ｍ      薬液（液体、被保温体）
Ｖ      三方弁
Ｃ      マイクロカテーテル
【図１】
2013180030.tif 000003
【図２】
2013180030.tif 000004
【図３】
2013180030.tif 000005
【図４】
2013180030.tif 000006
【図５】
2013180030.tif 000007
【図６】
2013180030.tif 000008
【図７】
2013180030.tif 000009
【図８】
2013180030.tif 000010
【図９】
2013180030.tif 000011
【図１０】
2013180030.tif 000012